【事件の表示】
　平成１０年特許願第２５１２２９号「通信端末装置」拒絶査定不服審判事件〔平成１２年　３月２１日出願公開，特開２０００−　８１９３７〕について，次のとおり審決する。
【結　論】
　本件審判の請求は、成り立たない。
【理　由】
１　手続の経緯 ・本願発明 
　 
　本願は，平成１０年９月４日の出願であって，平成１８年３月２８日付けで拒絶査定がなされ，これに対して同年５月８日に拒絶査定不服審判が請求されたものであり，その請求項１に係る発明は，同年６月７日付けの手続補正書により補正された明細書及び図面の記載から見て，特許請求の範囲の請求項１に記載された次のとおりのもの（以下「本願発明」という。）と認める。
　 
「【請求項１】　自装置で設定する各種機能に対応した各機能情報項目を表示手段に表示して検索する機能を有する通信端末装置において，
前記各種機能をそれぞれ複数の機能情報項目を含む複数の機能情報項目群と該複数の機能情報項目群にそれぞれ対応付けられた複数の上位項目とにより階層的に管理する機能情報項目階層管理手段と，
　複数の上位項目の少なくとも一部の項目の一覧が表示手段に表示されている状態で，前記上位項目に対応する項目番号を数字キーによって第１の操作がなされると，該選択された上位項目に対応付けられた複数の機能情報項目を含む一覧表示画面を前記機能情報項目階層管理手段の管理情報に基づき前記表示手段に表示する第１の表示制御手段と，
前記表示手段に前記一覧表示画面が表示されている状態で一覧表示画面を正逆両方向に切り替え可能なスクロールキーによって第２の操作がなされると，該一覧表示画面を前記機能情報項目階層管理手段の管理情報に基づき他の上位項目に対応付けられた複数の機能情報項目を含む他の一覧表示画面に順次切り替える第２の表示制御手段と，
前記表示手段に前記一覧表示画面が表示されている状態で一覧表示画面に表示された各機能情報項目に対応する項目番号を前記数字キーによって第３の操作がなされると，前記機能情報項目階層管理手段の管理情報に基づき該選択された機能情報項目の設定画面に切り替える第３の表示制御手段と
を具備することを特徴とする通信端末装置。」 
　 
　 
２　引用例に記載された発明 
　 
　原査定の拒絶の理由に引用された，本願の出願の日前である平成６年４月２８日に頒布された特開平６−１２０８９３号公報（以下「引用例」という。）には，図面とともに以下のような記載がある。 
　 
（イ）「【０００３】ところで，セルラ電話装置には，複数のメインファンクション及び各メインファンクションが有するサブファンクションからなる多くの機能が設けられている。これらの機能を使用することにより，ユーザは，付加的な情報（例えば，通話記録や通話料金等）を容易に知ることができる。
　
【０００４】
【発明が解決しようとする課題】メインファンクション及びサブファンクションからなる機能は，階層構造とされる。このため，ファンクションのうちの所望のファンクションをユーザが呼び出す場合，特に，下位に設定されたファンクションを呼び出す場合，全ファンクションマップ内での現在位置をユーザは見失ってしまうおそれがある。
　
【０００５】したがって，この発明の目的は，各ファンクションに設定された番号を表示することにより，現在どのようなファンクションに位置するのかをユーザが把握できるような電子機器の機能設定装置を提供することである。
　
【０００６】
【課題を解決するための手段】この発明は，機能設定が階層構造とされており，上位レベルの階層の機能を設定した後，更にその下の階層の機能を設定することが可能な電子機器の機能設定装置において，入力手段と，入力手段からの入力に基づいて機能を設定する制御手段と，設定された機能を表示する表示手段とを備え，表示手段には，階層レベル番号及びその階層での機能番号が表示されるようにした電子機器の機能設定装置である。」（第２頁第１欄第４２行〜第２欄第１９行）
　
（ロ）「【０００８】
【実施例】以下，この発明が適用されたセルラ電話装置の一実施例を図面を参照して説明する。図１には，セルラ電話装置の斜視図が示される。図１において，セルラ電話装置１の表面部には，ダイヤルするためのテンキー２，メニューキー等からなるファンクションキー３が配設される。テンキー２の上部には，種々の情報を表示するための，例えばＬＣＤからなる液晶表示部４が設けられる。
　
【０００９】液晶表示部４の上部には，受信した音声を出力するためのスピーカ５が配設され，テンキー２の下部には，音声を入力するためのマイクロフォン６が設けられる。また，最上部には，伸縮自在のアンテナ８が取り付けられる。セルラ電話装置１の裏面には，セルラ電話装置１自体を駆動するための電源（図示せず）が，セルラ電話装置１の内部には，受信待ちのための電源（図示せず）が別々に設けられる。
　
【００１０】図２には，上述の液晶表示部４に表示される情報の一例が示される。図２において，液晶表示部４は，補助表示領域１１，メイン表示領域１２及び固定表示領域１３からなる。補助表示領域１１には，メイン表示領域１２への入力がカナ文字であるか数英文字であるか等を示す情報やスピーカ５から出力されるデータの大きさを示す情報等が絵文字等で表示される。メイン表示領域１２は，例えば，１マスが５×７のドットマトリクスで構成され，１０桁３行までの入力が可能とされる。メイン表示領域１２の１行目には，例えば，着呼された時の表示（「メッセージ着信」）等が，２行目には「メッセージ着信」の時間が，また，３行目には発呼先の識別番号（例えば電話番号等）がそれぞれ表示される。固定表示領域１３には，各機能（録音機能ファンクションや電話帳ファンクション等）に対応した表示がなされる。
　
【００１１】図３には，セルラ電話装置が有するファンクションの第１レベルメニューの概略が示される。図３において，第１レベルメニューは，第１ファンクション２１（１：デンワチョウ）から第９ファンクション（９：ソノタノセッテイ）の９種類からなる。それぞれのファンクションには，階層レベル番号が割り当てられており，この階層レベル番号が固定表示領域１３へ表示される。例えば，第１ファンクション２１の階層レベル番号は「Ｆ１」，第２ファンクション２２の階層レベル番号は「Ｆ２」とされる。また，上述の９種類のファンクションの他に，シークレットファンクションとして，「Ａ：ダイアリー」及び「Ｂ：ディーラー用」の２種類のファンクションが用意されている。
　
【００１２】図４には，上述の各ファンクションが選択された場合に対応して，メイン表示領域１２に表示される第２レベルメニューの概略が示される。例えば，ファンクション２１が選択されると，電話帳ファンクションとされ，メイン表示領域１２には電話帳ファンクションが表示される（図４Ａ参照）。以下，同様にして図４Ｂから図４Ｉまでの第２レベルメニューのファンクションがメイン表示領域１２に表示される。なお，メイン表示領域１２に表示可能な行数は３行までであり，第２レベルメニューの表示が３つ以上ある場合には，ファンクションキー３に設けられた「＋キー」及び「−キー」を操作することで，第２レベルメニューをスクロールすることが可能になる。
　
【００１３】図５には，第１レベルメニュー及び第２レベルメニューの全ファンクションが示される。図５において，第１レベルメニューの何れかを選択すると，選択されたメニューに対応する階層レベル番号が固定表示領域１３に示される。その後，選択された第１レベルメニューに対応する第２レベルメニューがメイン表示領域に示され，ユーザにより所望のファンクションが選択される。第２レベルメニューの各ファンクションには，それぞれ機能番号が設定されており，所望のファンクションが選択されると，その機能番号が固定表示領域１３に表示されるようになっている。なお，第１レベルメニューの０番は，セルラ電話装置が使用される前に設定されるために，「（予約）」ファンクションとされる。
　
【００１４】例えば，図５において，第１レベルメニューの第３ファンクション（ボリューム）が選択されると，固定表示領域１３には，第３ファンクションの階層レベル番号「Ｆ３」が表示される。これと共に，第３ファンクションの第２レベルメニューがメイン表示領域１２に表示される。図５から明らかなように，第２レベルメニューは，複数のファンクションを有する。上述のように，ファンクションキー３に設けられた「＋キー」及び「−キー」を操作することで，ユーザは，第３ファンクションにおける第２レベルメニューの全てのファンクションを見ることができる。
　
【００１５】ここで，例えば，第２レベルメニューの中から３番目のメニュー（３：ガイブＳＰ）を選択すると，ガイブＳＰの機能番号「３」が第１レベルメニューの階層レベル番号の近傍に表示される。従って，固定表示領域１３には，「Ｆ３３」と表示がなされ，スピーカ５のボリュームを変更するためのメニューが実行される。
　
【００１６】図６には，固定表示領域１３に表示される階層レベル番号と，メイン表示領域１２に表示される第２レベルメニューとの関係が示される。図６において，ファンクションキー３に設けられたメニューキーを操作すると，固定表示領域１３には，「Ｆ」が表示されると共に，メイン表示領域１２には，第１レベルメニューのファンクションが表示される。例えば，テンキーの「２」を操作することにより，この第１レベルメニューの中から「ツウワキロク」ファンクションが選択されると，メイン表示領域１２には，「ツウワキロク」ファンクションの第２レベルメニューが表示される。この時に，固定表示領域１３の表示は，「Ｆ２」とされる。
　
【００１７】さらに，第２レベルメニューの「３：ハッチャクシン」が選択されると，固定表示領域１３には，「Ｆ２３」と表示される。これと共に，メイン表示領域１２には，通話記録番号（発信先及び発信元の電話番号）が表示される。この通話記録番号はスクロールされ，所望の電話番号が見出されると，メニューキーが操作される。これにより，その電話番号が確定とされる。次に，発信キーが操作されると，選択された電話番号がダイヤルされる。通話が終了すると，終了キーによって通話が切断される。
　
【００１８】ところで，上述のように制御されるセルラ電話装置は，図７のような構成とされる。すなわち，セルラ電話装置内に設けられたコントローラ４１は，表示領域制御装置４２，機能統括装置４３，及び機能別制御装置４５ａ〜４５ｎに接続される。また，機能統括装置４３は，機能表示マップテーブル４４に接続される。機能統括装置４３は，各機能と対応する表示情報の機能表示マップテーブル４４を統括する機能である。表示領域制御装置４２は，固定表示領域制御装置４２ａ，補助表示領域制御装置４２ｂ及びメイン表示領域制御装置４２ｃからなり，液晶表示部４のそれぞれの領域に対する表示制御を行う。また，コントローラ４１には，機能統括装置４３からの情報が供給され，この情報に基づいて各制御装置が制御される。機能別制御装置４５ａ〜４５ｎは，第２レベルメニューの各ファンクションに対応して設けられているものである。」（第２頁第２欄第２７行〜第４頁第５欄第４行）
　
（ハ）【図５】には，第１レベルメニューの第１ファンクション「デンワチョウ：」は，第２レベルメニューとして「１：ソート（１−９）」，「２：ソート（アイウ）」，「３：ソート（アカサ）」等を含み，第１レベルの第３ファンクション「ボリューム：」は，第２レベルメニューとして「１：ヨビダシオン」，「２：スピーカー」，「３：ガイブＳＰ」を含むことが記載されている。
　
（ニ）【図６】には，ファンクションキー（３）に設けられた［メニュー］キーを操作すると，メイン表示領域（１２）に，第１レベルメニューのファンクション「１　デンワチョウ」，「２　ツウワキロク」が表示され，続いてテンキーの［２］キーを操作すると，メイン表示領域（１２）に，「ツウワキロク」ファンクションの第２レベルメニュー「１　ハッシン」，「２　チャクシン」が表示され，さらにテンキーの［３］キーを操作すると，メイン表示領域（１２）に，通話記録番号（発信先及び発信元の電話番号）「２３４５６７８９０」，「１２３４５６７９０」が表示されることが記載されている。
　
　これらの記載事項によると，引用例には， 
「テンキー（２），メニューキー等からなるファンクションキー（３），メイン表示領域（１２）を有する液晶表示部（４），及びスピーカ（５）を備え，メインファンクション及びサブファンクションからなる機能は，階層構造とされており，上位レベル（第１レベル）の階層の機能を設定した後，更にその下（第２レベル）の階層の機能を設定することが可能な，セルラ電話装置において，
前記セルラ電話装置は，
ファンクションキー（３）に設けられたメニューキーを操作すると，メイン表示領域（１２）には，第１レベルメニューの機能が表示され，
第１レベルメニューは，第１機能から第９機能の９種類からなり，
テンキー（２）を操作することにより，第１レベルメニューの何れかを選択すると，選択された第１レベルメニューに対応する第２レベルメニューがメイン表示領域（１２）に示され，
第２レベルメニューは，複数の機能を有し，
テンキー（２）を操作することにより，第２レベルメニューの中から機能が選択されるものであり，
例えば，第１レベルメニューの第３機能（ボリューム）が選択され，第２レベルメニューの中から３番目のメニュー（３：ガイブＳＰ）を選択すると，スピーカ（５）のボリュームを変更するためのメニューが実行される，
セルラ電話装置。」 
の発明（以下，「引用発明」という。）が記載されていると認められる。 
　 
　 
３　対比 
　 
　本願発明と引用発明を比較する。
　
　引用発明において第２レベルメニューに含まれている，スピーカのボリュームを変更するためのメニュー（３：ガイブＳＰ）は，当該セルラ電話装置で設定する機能に対応していることは明らかであるから，引用発明における「第２レベルメニュー」が有する「複数の機能」は，本願発明における「自装置で設定する各種機能に対応した各機能情報項目」に相当する。
　
　引用発明においては，メイン表示領域（１２）に第１レベルメニューを表示し，第１レベルメニューの何れかを選択すると，選択された第１レベルメニューに対応する第２レベルメニューがメイン表示領域（１２）に示され，機能が選択されるものであるから，引用発明における「セルラ電話装置」は，本願発明における「自装置で設定する各種機能に対応した各機能情報項目を表示手段に表示して検索する機能を有する通信端末装置」に相当する。
　
　引用発明において「第１レベルメニュー」を構成する複数の「機能」は，それぞれ複数の機能情報項目（第２レベルメニューが有する機能）と対応しているから，本願発明において「機能情報項目群」と対応付けられた「上位項目」に相当し，引用発明は，機能が階層構造とされており，上位レベル（第１レベル）の階層の機能を設定した後，更にその下（第２レベル）の階層の機能を設定するものであるから，本願発明における「前記各種機能をそれぞれ複数の機能情報項目を含む複数の機能情報項目群と該複数の機能情報項目群にそれぞれ対応付けられた複数の上位項目とにより階層的に管理する機能情報項目階層管理手段」を備えているといえる。
　
　引用発明は，メイン表示領域（１２）に，第１レベルメニューの機能が表示されている状態で，テンキー（２）すなわち数字キーの操作がなされると，選択された第１レベルメニューの機能に対応付けられた，第２レベルメニューの複数の機能，を含む画面がメイン表示領域（１２）に表示するものであり，ここで，引用発明に明記はされていないものの，当該表示制御は，機能情報項目の階層を管理する手段の管理情報に基づいてなされることは当然であるから，引用発明は，本願発明における「複数の上位項目の少なくとも一部の項目の一覧が表示手段に表示されている状態で，前記上位項目に対応する項目番号を数字キーによって第１の操作がなされると，該選択された上位項目に対応付けられた複数の機能情報項目を含む一覧表示画面を前記機能情報項目階層管理手段の管理情報に基づき前記表示手段に表示する第１の表示制御手段」を備えているといえる。
　
　引用発明は，メイン表示領域（１２）に，第２レベルメニューの複数の機能を含む画面が表示されている状態で，テンキー（２）すなわち数字キーの操作がなされると，例えば，スピーカ（５）のボリュームを変更するためのメニューが実行されることから，引用発明は，本願発明における「前記表示手段に前記一覧表示画面が表示されている状態で一覧表示画面に表示された各機能情報項目に対応する項目番号を前記数字キーによって第３の操作がなされると，前記機能情報項目階層管理手段の管理情報に基づき該選択された機能情報項目の設定画面に切り替える第３の表示制御手段」を備えているといえる。
　
　したがって，本願発明と引用発明とは，以下の点で一致ないし相違する。
　
＜一致点＞
「自装置で設定する各種機能に対応した各機能情報項目を表示手段に表示して検索する機能を有する通信端末装置において，
前記各種機能をそれぞれ複数の機能情報項目を含む複数の機能情報項目群と該複数の機能情報項目群にそれぞれ対応付けられた複数の上位項目とにより階層的に管理する機能情報項目階層管理手段と，
　複数の上位項目の少なくとも一部の項目の一覧が表示手段に表示されている状態で，前記上位項目に対応する項目番号を数字キーによって第１の操作がなされると，該選択された上位項目に対応付けられた複数の機能情報項目を含む一覧表示画面を前記機能情報項目階層管理手段の管理情報に基づき前記表示手段に表示する第１の表示制御手段と，
前記表示手段に前記一覧表示画面が表示されている状態で一覧表示画面に表示された各機能情報項目に対応する項目番号を前記数字キーによって第３の操作がなされると，前記機能情報項目階層管理手段の管理情報に基づき該選択された機能情報項目の設定画面に切り替える第３の表示制御手段と
を具備することを特徴とする通信端末装置。」である点。
　
＜相違点＞
　本願発明は，「前記表示手段に前記一覧表示画面が表示されている状態で一覧表示画面を正逆両方向に切り替え可能なスクロールキーによって第２の操作がなされると，該一覧表示画面を前記機能情報項目階層管理手段の管理情報に基づき他の上位項目に対応付けられた複数の機能情報項目を含む他の一覧表示画面に順次切り替える第２の表示制御手段」を備えているのに対して，引用発明は，当該第２の表示制御手段を備えていない点。
　
　
４　当審の判断 
　 
　上記相違点について検討する。
　
　階層的に管理されたメニューを表示する装置において，「表示手段に」「一覧表示画面が表示されている状態で一覧表示画面を正逆両方向に切り替え可能な」「キーによって第２の操作がなされると，該一覧表示画面を」「管理情報に基づき他の上位項目に対応付けられた複数の機能情報項目を含む他の一覧表示画面に順次切り替える」ことは周知（特開平９−２０４２８６号公報の段落【０００５】，【００２０】〜【００２３】，【００３３】〜【００４２】，特開平９−２１４９０５号公報の段落【００４０】，【００４５】〜【００５６】，特開平８−２７５０７６号公報の段落【００２６】〜【００４０】を参照。）であり，また，上記特開平９−２０４２８６号公報の段落【００２１】には，「カーソルを縦方向に移動させるためのキー」を操作することにより「各メニュー欄は縦方向」「にスクロールする」ことが記載されていることや，カーソルキーがスクロールキーとなることは技術常識であること（特開平５−４８７９９号公報の第２頁第１欄第９〜第１０行，特開平９−２５８９５１号公報の第２頁第２欄第３８行〜第４２行を参照。）を考慮すると，引用発明に，上記周知技術及び技術常識を適用して，「前記表示手段に前記一覧表示画面が表示されている状態で一覧表示画面を正逆両方向に切り替え可能なスクロールキーによって第２の操作がなされると，該一覧表示画面を前記機能情報項目階層管理手段の管理情報に基づき他の上位項目に対応付けられた複数の機能情報項目を含む他の一覧表示画面に順次切り替える第２の表示制御手段」を設けることは，容易になし得たことである。
　 
　そして，本願発明のように構成したことによる効果も引用発明，上記周知技術，及び技術常識から予測できる程度のものである。 
　 
　
５　むすび 
　 
　以上のとおり，本願発明は，上記引用発明，周知技術，及び技術常識に基づいて当業者が容易に発明をすることができたものであるから，特許法２９条２項の規定により特許を受けることができない。 
　 
　したがって，本願は他の請求項について論及するまでもなく，拒絶すべきものである。
　 
　よって，結論のとおり審決する。